(57)【要約】【課題】金属製スライダーを備えたアジャスターで、ズボン等のウエスト部に指を差し込むことなく、簡単な操作で調節を可能とするアジャスターの提供。【解決手段】務歯列を有するアジャスターレールと、その務歯に対してスライド及び固定を可能とする金属製スライダーとを備え、金属製スライダーは開口を有するスライダー主体とこれに相対的に前後動するスライダー操作体と、務歯への係止手段となる係止線部を有するストッパー部材とを備え、スライダー主体とスライダー操作体の相対的な前後方向の移動を許容して、開口と係止線部との相対的な配置を変更可能とし、係止線部の上方に開口を配置した状態で案内部によって務歯と係止線部との係合を解除可能とするアジャスター。【選択図】図１２
2015139604.tif 000002
【特許請求の範囲】
【請求項１】
務歯列を有するアジャスターレールと、該アジャスターレールの務歯に対してスライド及び固定を可能とする金属製スライダーとを備えるアジャスターにおいて、
前記金属製スライダーは、スライダー主体と、該スライダー主体に相対的に前後動するスライダー操作体と、前記スライダー主体に取着され金属製線材からなるストッパー部材とを備え、
前記スライダー主体は、生地取付部と、該生地取付部の後端側に連続する嵩高部と、嵩高部の後端側に位置するスライダーガイド部とを備え、該スライダーガイド部は、開口を有するスライダー基板及び該スライダー基板の左右縁部にアジャスターレールを案内すべく形成されるガイド縁を備え
前記ストッパー部材は、前記スライダーガイド部に取着され、且つ、アジャスターレールの務歯に対して係脱可能な係止線部を備えており、
前記スライダー操作体は、操作体基板部と、前記務歯列−前記係止線部間の係止を解除するための案内部と、操作体側指掛部とを備え、
スライダー主体とスライダー操作体の相対的な前後方向の移動を許容し、且つ、前記スライダー主体のスライダーガイド部によるストッパー部材の係止線部への相対的な押込みに対して当該ストッパー部材が反発弾性を有するものとし、
相対的な押込み寸法の範囲内で係止線部の上方に開口を配置して、務歯と係止線部との係止を解除可能とすることを特徴とするアジャスター。
【請求項２】
スライダー主体における嵩高部にはレール被覆生地を通すための主体側生地貫通穴を備え、スライダー操作体の操作体側指掛部の近傍に、前記レール被覆生地を通すための操作体側生地貫通穴を備えたことを特徴とする請求項１記載のアジャスター。
【請求項３】
外側生地を生地取付部とともに挟持するための生地被覆部をスライダー操作体の操作体側指掛部から形成したことを特徴とする請求項１又は２記載のアジャスター。
【請求項４】
アジャスターレールは、務歯列における務歯の上面から前面、及び当該務歯の上面から後面に亘り連続する曲面若しくは斜面を備え、
当該務歯列と係止線部とが係止した通常状態において、アジャスターレールに対して金属製スライダーが前方へロックした状態で、且つ、後方へ当該金属製スライダーを移動可能としたことを特徴とする請求項１、２又は３記載のアジャスター。
【請求項５】
スライダー操作体は、スライダー主体に対して摺動するガイド部を備え、且つ、スライド可動体とスライダー主体は少なくとも前後いずれかの方向の移動を所定範囲に規制する移動規制手段を備えたことを特徴とする請求項１、２、３又は４記載のアジャスター。
【発明の詳細な説明】
【技術分野】
【０００１】
本発明は、主として衣服のウエスト廻りの寸法等を調節するために用いられるアジャスターに関し、特には金属製スライダーを備えたアジャスターに関する。
【背景技術】
【０００２】
従来、衣服のウエスト部等のサイズを着用状態において調節するための種々のアジャスターが公知である。アジャスターを特に衣服のウエスト部等に使用する場合には、当該衣服やアジャスターの繰り返しの使用や、洗濯、ドライクリーニング等に対して、高い耐久性が求められる。特に複雑な構造を有するスライダーは十分な強度が求められるところ、金属製スライダーを備えたアジャスターは合成樹脂製のスライダーを備えたアジャスターと比べて、この点において優れている。
【０００３】
このような金属製スライダーを備えたアジャスターとしては、例えば、本出願人が先にした発明として、衣服の側面に設けるポケットを上端まで切開して、重複する外側腰回り部と内側腰回り部とを形成し、該内側腰回り部の外面に付設する突条を有するレール（アジャスターレール）と、該レールが挿通され突条と掛止するように外側腰回り部に付設するスライダーとからなる腰回り調整装置において、レールの挿通されるスライダーが、取付基板の両端を起立させて内方に折曲し後側壁と天板部及び前側壁と天板部とでレール空間を形成し且つ前記後側壁の後端縁部を外方へ折曲して支点用片を形成するとともに前記前側壁の後側壁側縁部を逆傾斜縁とした取付枠体と、前記支点用片を支持する水平方向の回動支点用長孔を開設した側板の後縁部にカム縁を形成し、これと一体に形成された覆板の先端縁部を折り返し状態に内方へ折曲した掛止舌片とするとともに後端部を反らして掛止解除操作片とし、さらに側板の中間位置に前記取付枠体の逆傾斜縁に接当する爪片を折曲形成した操作枠体と、前記カム縁の回動軌跡上に自由端部が位置するように前記取付基板に固定された板バネとからなる衣服用腰回り調整装置（例えば、特許文献１参照。）が公知である。
【先行技術文献】
【特許文献】
【０００４】
【特許文献１】実開平０２−１４０９２０号公報
【発明の概要】
【発明が解決しようとする課題】
【０００５】
上記特許文献１に係る考案は、当該構成によって、一定の確実な調整掛止が良好な操作性を実現できるものである点で、優れたものである。
【０００６】
ところで上記発明は、操作を行う際にズボンのウエスト部、特に内側腰回り部内に指を差し込み、掛止解除片操作片を操作する必要がある。このため操作性に関しては、一定の確実な調整掛止が良好な操作性は実現できる。
しかしながら、調整のために指をズボン等のウエスト部に差し込む作業が必ず必要となるため、サイズ調整作業が体裁上優れているとはいえない欠点がある。
【０００７】
また、上記欠点の解消を前提とした上で、使用時のウエストサイズの不慮の緩みの発生を防止すべくロック状態の確実性が確保できることは勿論、着用時のウエストの締め付けを簡単に行える構成であれば、更に使い勝手に優れ、望ましいと考えられる。
【０００８】
更に本発明は上記の欠点を解消した上で、レールの前後の向きを指定することなく構成することができれば、製造時の誤組立を防止できるとともに組立作業性を向上できるため、更に望ましい。
【０００９】
本発明は以上の事情に鑑みてなされたものであり、耐久性に優れた金属製スライダーを備えたアジャスターを前提として、ズボン等のウエスト部に指を差し込むことなく体裁よくウエストサイズの調整を可能とし、簡単な操作でアジャスターによる調節を可能とする優れたアジャスターの提供を、発明が解決しようとする課題とする。
【００１０】
また本発明は、上記課題を解決できることに加え、使用時のロック状態の確実性が確保され、着用時のウエストの締め付けを簡単に行えるアジャスターの提供を、発明が解決しようとする課題とする。
【００１１】
更に本発明は、上記課題を解決できることに加え、レールの前後の向きを指定することなく構成することができるアジャスターの提供を、発明が解決しようとする課題とする。
【課題を解決するための手段】
【００１２】
（請求項１に対応）
本発明は、務歯列を有するアジャスターレールと、該アジャスターレールの務歯に対してスライド及び固定を可能とする金属製スライダーとを備えるアジャスターにおいて、
前記金属製スライダーは、スライダー主体と、該スライダー主体に相対的に前後動するスライダー操作体と、前記スライダー主体に取着され金属製線材からなるストッパー部材とを備え、前記スライダー主体は、生地取付部と、該生地取付部の後端側に連続する嵩高部と、嵩高部の後端側に位置するスライダーガイド部とを備え、該スライダーガイド部は、開口を有するスライダー基板及び該スライダー基板の左右縁部にアジャスターレールを案内すべく形成されるガイド縁を備え、前記ストッパー部材は、前記スライダーガイド部に取着され、且つ、アジャスターレールの務歯に対して係脱可能な係止線部を備えており、
前記スライダー操作体は、操作体基板部と、前記務歯列−前記係止線部間の係止を解除するための案内部と、操作体側指掛部とを備え、スライダー主体とスライダー操作体の相対的な前後方向の移動を許容し、且つ、前記スライダー主体のスライダーガイド部によるストッパー部材の係止線部への相対的な押込みに対して当該ストッパー部材が反発弾性を有するものとし、相対的な押込み寸法の範囲内で係止線部の上方に開口を配置して、務歯と係止線部との係止を解除可能とすることを特徴とするアジャスターを、課題を解決するための手段とする。
【００１３】
また本発明は、上記発明の構成を前提として、スライダー主体における嵩高部にはレール被覆生地を通すための主体側生地貫通穴を備え、スライダー操作体の操作体側指掛部の近傍に、前記レール被覆生地を通すための操作体側生地貫通穴を備えたことを特徴とするアジャスターを、課題を解決するための手段とする。
【００１４】
また本発明は、上記何れかの発明の構成を前提として、外側生地を生地取付部とともに挟持するための生地被覆部をスライダー操作体の操作体側指掛部から形成したことを特徴とするアジャスターを、課題を解決するための手段とする。
【００１５】
また本発明は、上記何れかの発明の構成を前提として、アジャスターレールは、務歯列における務歯の上面から前面、及び当該務歯の上面から後面に亘り連続する曲面若しくは斜面を備え、当該務歯列と係止線部とが係止した通常状態において、アジャスターレールに対して金属製スライダーが前方へロックした状態で、且つ、後方へ当該金属製スライダーを移動可能としたことを特徴とするアジャスターを、課題を解決するための手段とする。
【００１６】
また本発明は、上記何れかの発明の構成を前提として、スライダー操作体は、スライダー主体に対して摺動するガイド部を備え、且つ、スライド可動体とスライダー主体は少なくとも前後いずれかの方向の移動を所定範囲に規制する移動規制手段を備えたことを特徴とするアジャスターを、課題を解決するための手段とする。
【発明の効果】
【００１７】
本発明に係るアジャスターによれば、金属製スライダーは、スライダー主体と、該スライダー主体に相対的に前後動するスライダー操作体と、前記スライダー主体に取着され金属製線材からなるストッパー部材とを備え、前記スライダー主体は、生地取付部と、該生地取付部の後端側に連続する嵩高部と、嵩高部の後端側に位置するスライダーガイド部とを備え、該スライダーガイド部は、開口を有するスライダー基板及び該スライダー基板の左右縁部にアジャスターレールを案内すべく形成されるガイド縁を備え、前記ストッパー部材は、前記スライダーガイド部に取着され、且つ、アジャスターレールの務歯に対して係脱可能な係止線部を備えており、前記スライダー操作体は、操作体基板部と、前記務歯列−前記係止線部間の係止を解除するための案内部と、操作体側指掛部とを備え、
スライダー主体とスライダー操作体の相対的な前後方向の移動を許容し、且つ、前記スライダー主体のスライダーガイド部によるストッパー部材の係止線部への相対的な押込みに対して当該ストッパー部材が反発弾性を有するものとし、相対的な押込み寸法の範囲内で係止線部の上方に開口を配置して、務歯と係止線部との係止を解除可能とすることを特徴とする構成としたことから、以下の作用効果を有する。
（ａ）務歯と係止線部とが係止した通常状態において、前方即ちウエストサイズを拡大する（ウエスト廻りを緩める）方向への金属製スライダーの移動は、前記務歯と係止線部との係止によって、阻止される。このため、不慮のウエスト廻りの緩みを防止できる。
（ｂ）また、後方即ちウエストサイズを縮小する（ウエスト廻りを締める）方向への金属製スライダーの移動に関しては、当該金属製スライダーをそのままスライドさせるだけで務歯と係止線部との係脱を繰り返し、好みの位置に調節することができる。
即ち、スライダー主体とスライダー操作体の相対的な前後方向の移動を許容し、相対的な押込み寸法の範囲内で係止線部の上方に開口が配置されて務歯と係止線部との係止を解除可能とするため、スライダー主体を指で後方へ移動させると、スライダー操作体に対して当該スライダー主体が接近し、ストッパー部材の係止線部の上方にそれまで配置されていなかった開口が配置される、解放準備状態となる。
次いでスライダー操作体のスライダーガイド部が前記係止線部を上方へ案内し、務歯と係止線部との係合が解除される。この状態から金属製スライダー全体が前方へ移動を開始する。しかしストッパー部材は反発弾性を発揮しているため、次の務歯に対して係止線部が係止する。そして、金属製スライダー全体が移動することで、スライダー主体とスライダー操作体との間隔は元の位置に復帰し、係止線部の上方には開口が位置せず塞がれた状態となる。これら一連の状態の変化を繰り返すことによって、好みの調節位置まで金属製スライダーを移動させることができる。
（ｃ）ウエストサイズを緩める場合には、金属製スライダーに対し摘み操作を行う。
スライダー主体の主体側指掛部とスライダー操作体の操作体側指掛部を、例えば親指と人差し指を用いて相互の距離を縮めるように相対的に移動させると、上記(ｂ)と同様に、解放準備状態を経て、スライダー操作体のスライダーガイド部が前記係止線部を上方へ案内し、務歯と係止線部との係合が解除される。この解除状態において、スライダー主体の主体側指掛部とスライダー操作体の操作体側指掛部を指で摘んでいる状態で保持しているため、アジャスターレールの務歯と係止線部は非接触状態が維持される。
このため、金属製アジャスターをアジャスターレールに対して自由に前後に移動させることができ、好みに応じたウエストサイズの拡大、縮小を行うことができる。
本出願に係る発明は、操作体側指掛部、主体側指掛部は直接に指を掛けて作用させる必要はなく、生地を介して当該操作体側指掛部若しくは主体側指掛部を作用させることを含み、また操作体側指掛部若しくは主体側指掛部に他の部材を取り付けて間接的に作用させることを含む。
【００１８】
また本発明によれば、上記発明の構成を備えた上で、スライダー主体における嵩高部にはレール被覆生地を通すための主体側生地貫通穴を備え、スライダー操作体の操作体側指掛部の近傍に、前記レール被覆生地を通すための操作体側生地貫通穴を備えた構成としたことから、当該主体側生地貫通穴、操作体側生地貫通穴を連通してレール被覆生地を通し、アジャスターレールの両端に当該レール被覆生地を縫合等の手段によって固着することで、当該レール被覆生地の外側にスライダー主体の主体側指掛部とスライダー操作体の操作体側指掛部が配置され、当該レール被覆生地の外側でこれらの摘み操作を行うことができるから、非常に簡単で体裁の良い操作によって、ウエストサイズの調節を行うことができる。
【００１９】
更に本発明によれば、上記いずれかの発明の構成を備えた上で、外側生地を生地取付部とともに挟持するための生地被覆部をスライダー操作体の操作体側指掛部から形成したことから、操作体側指掛部とともに、又は操作体指掛部に代えて生地被覆部に指を掛けることで、指を掛ける箇所が把握し易くなり、また指との当接がより確実となるため摘み操作の力のロスが少なく、更に容易かつ快適に、ウエストサイズ調節を行うことができる。
【００２０】
また本発明によれば、上記何れかの発明の構成を備えた上で、アジャスターレールは、務歯列における務歯の上面から前面、及び当該務歯の上面から後面に亘り連続する曲面若しくは斜面を備え、当該務歯列と係止線部とが係止した通常状態において、アジャスターレールに対して金属製スライダーが前方へロックした状態で、且つ、後方へ当該金属製スライダーを移動可能としたことから、務歯と係止線部とが係止した通常状態において、後方即ちウエストサイズを縮小する（ウエスト廻りを締める）方向への金属製スライダーの移動に関しては、当該金属製スライダーをそのままスライドさせ務歯と係止線部との係脱を繰り返す際に、係脱操作をより円滑とすることができ、操作性を向上させることができる。
【００２１】
また、本発明によれば、上記いずれかの発明の構成を備えた上で、スライダー操作体は、スライダー主体に対して摺動するガイド部を備え、且つ、スライド可動体とスライダー主体は少なくとも前後いずれかの方向の移動を所定範囲に規制する移動規制手段を備えたことから、上記いずれかの発明の作用効果を奏する上に、ガイド部がスライダー主体内を摺動してスライダー操作体の左右の振れを抑制するとともに、移動規制手段が所定範囲を超える前後方向への移動を抑えることで、安定した前後の移動動作を実現することができる。
【図面の簡単な説明】
【００２２】
【図１】本発明の実施例１に係るアジャスターにおける金属製スライダーの通常状態における（ａ）平面図、（ｂ）底面図である。
【図２】本発明の実施例に係るアジャスターにおける金属製スライダーの縮小状態（解放状態）における（ａ）平面図、（ｂ）底面図である。
【図３】本発明の実施例１に係るアジャスターにおける金属製スライダーの（ａ）通常状態における縦断面図、（ｂ）縮小状態における縦断面図である。
【図４】本発明の実施例１に係るアジャスターにおけるスライダー主体の（ａ）平面図、（ｂ）底面図である。
【図５】本発明の実施例１に係るアジャスターにおけるスライダー主体の（ａ）正面図、（ｂ）背面図である。
【図６】本発明の実施例１に係るアジャスターにおけるスライダー主体の（ａ）右側面図、（ｂ）縦断面図である。
【図７】本発明の実施例１に係るアジャスターにおけるスライダー操作体の（ａ）平面図、（ｂ）底面図である。
【図８】本発明の実施例１に係るアジャスターにおけるスライダー操作体の（ａ）正面図、（ｂ）背面図である。
【図９】本発明の実施例１に係るアジャスターにおけるスライダー操作体の（ａ）右側面図、（ｂ）縦断面図である。
【図１０】本発明の実施例１に係るアジャスターにおける（ａ）ストッパー部材の平面、背面、右側面を示す斜視図、（ｂ）ホック部材の平面、正面、右側面を示す斜視図である。
【図１１】本発明の実施例１に係るアジャスターレールの（ａ）平面図、及び（ｂ）右側面図である。
【図１２】本発明の実施例１に係るアジャスターの通常状態（ロック状態）における縦断面図及びその一部拡大図である。
【図１３】本発明の実施例１に係るアジャスターの解放準備状態における縦断面図及びその一部拡大図である。
【図１４】本発明の実施例１に係るアジャスターの解放状態における縦断面図及びその一部拡大図である。
【図１５】本発明の実施例１に係るアジャスターをズボンのウエスト部に取付けた状態を示す一部断面拡大説明図である。
【図１６】本発明の実施例１に係るアジャスターをズボンのウエスト部に取付けた使用状態参考説明図である。
【図１７】本発明の実施例２に係るアジャスターにおける金属製スライダーの通常状態における（ａ）平面図、（ｂ）底面図である。
【図１８】本発明の実施例２に係るアジャスターにおける金属製スライダーの（ａ）通常状態における縦断面図、（ｂ）縮小状態における縦断面図である。
【図１９】本発明の実施例２に係るアジャスターをズボンのウエスト部に取付けた状態を示す一部断面拡大説明図である。
【発明を実施するための形態】
【００２３】
以下に本発明の実施例１、２に係るアジャスターＣを説明する。尚、本発明は、以下の実施例１、２に限定されるものではなく、請求項に記載された各発明について、種々の変形例、応用例が含まれる。
【実施例１】
【００２４】
本実施例に係るアジャスターＣは、柔軟性を有する合成樹脂製のアジャスターレール２と、金属製スライダー１と、金属製のストッパー部材１２とから構成される。また、ズボンのウエスト部Ｗとの取付手段である金属製のホック部材３を一体として取着できる構成である。このためホック部材３は、本発明のアジャスターＣの一部となり得るものである。以下、本発明の実施例１に係るアジャスターＣを詳細に説明する。
【００２５】
本実施例１に係るアジャスターＣに用いる金属製スライダー１は、図１から図３に示すように、金属製のスライダー主体１０、金属製のスライダー操作体１１、金属製のストッパー部材１２によって構成している。
【００２６】
前記スライダー主体１０は、図４から図６に示すように、前側に位置する生地取付部１０ｃと、嵩高部１０ｂと、後側に位置するスライダーガイド部１０ａとを備える。本実施例ではこれらは連続一体として設けている。
【００２７】
前記生地取付部１０ｃは、概ね水平若しくはその前端側が上方に僅かに傾斜するものとして構成している。生地取付部１０ｃには、生地に対する固着手段であるホック部材３のホック脚部３００が貫通するためのホック取付穴１０５を設けている。また、生地取付部１０ｃの前端は主体側指掛部１０ｄとして機能する。
【００２８】
嵩高部１０ｂは、傾斜部１０９と平板部とからなる。前記生地取付部１０ｃの後端側左右位置から後方（斜め下方）へ連続して傾斜部１０９を設け、傾斜部の後端側に連続して幅広で概ね平滑な平板部１０８を形成してある。
左右の傾斜部１０９の間には基体側生地貫通用穴１０４を形成している。嵩高部１０ｂは、実施例に係るスライダー操作体１１における後記操作体側指掛部１１１がウエスト部Ｗにおいて引掛りを生じないように空間を形成するものである。
【００２９】
スライダーガイド部１０ａは、スライダー基板１００の左右両端から下方に連続してなるガイド側壁部１０１と、該ガイド側壁部１０１の下端から内側へ連続してなるガイド底板部１０２を備える。
【００３０】
スライダー基板１００は、基板前方部１００ｃ、基板後方部１００ｂ、及びこれらの間に形成される開口１００ａを備えている。開口１００ａの幅は、基板前方部１００ｃ及び基板後方部１００ｂの各幅に一致している。このため、開口１００ａの左右端には前記ガイド側壁部１０１の上端が露呈している。
前記基板前方部１００ｃには規制片１０３を設けている。規制片１０３は、平面視矩形輪郭部分の後方一辺を除く三辺に切込を設けて前記後方の一片を谷折りラインＬとして当該矩形輪郭部分を上方へ折曲してなる。
【００３１】
ガイド側壁部１０１は、前記スライダー操作体１１の前後動の際に、当該スライダー操作体のがたつきを抑えるためのものである。
【００３２】
前記ガイド底板部１０２は、後端部の左右夫々に底板貫通穴１０６を備える。また前端部の左右夫々に底板切欠部１０７を備える。当該底板切欠部１０７は、ガイド側壁部１０１との境界近傍に設けている。前記底板貫通穴１０６及び底板切欠部１０７は、ストッパー部材１２を保持するためのものである。また、当該底板貫通穴１０６及び底板切欠部１０７は、ストッパー部材１２の保持に加え、ストッパー部材１２の前後方向への僅かな移動を許容する。当該移動範囲はスライダー主体１０の可動域となる。
【００３３】
本実施例におけるストッパー部材１２は、金属製線材によって構成される。図１０（ａ）に示すように、金属製線材の両側を、左右対称として、概ね前方に向けて直角に屈曲し、屈曲されたその両端部側を後方に向けて鋭角に屈曲し、更にその先端部を上方へ略直角に屈曲して構成したものである。
ここで、中央の線分を係止線部１２０とし、これに連続する線分を第一線部１２１、該第一線部１２１に連続して鋭角をなす線分を第二線部１２２、第二線部１２２の端部から上方に形成される線分を第三線部１２３とする。本実施例では、第二線部１２２が第一線部１２１より長く構成されている。また、前記第三線部１２３の長さは、スライダー主体１０を構成する金属板の厚み寸法より短いものとしている。
【００３４】
スライダー操作体１１は、図７から図９に示すように、操作体基板部１１０と操作体側指掛部１１１とガイド部１１２と係止解除部１１３とを備える。
前記操作体側指掛部１１１は、平滑な金属板からなる操作体基板部１１０の前端側から一体連続に広幅として形成され、その前端側から前方へ延設した後上方へ約１８０°湾曲し、後方へ延設して構成したものである。湾曲部分の中央には操作体側生地貫通用穴１１４を形成した構成としている。操作体基板部１１０から操作体側指掛部１１１へ連続する箇所の中央位置には、平面視矩形の規制穴部１１５を形成している。
【００３５】
ガイド部１１２は、前記操作体基板部１１０の後端側から左右に屈曲形成され前方へ延設した構成である。当該ガイド部１１２は、概ね操作体基板部１１０の長さの半分程度の長さとしている。
【００３６】
係止解除部１１３は、操作体基板部１１０の後端から、当該操作体基板部１１０の幅よりも狭幅として連続する舌片を下方向きに約１８０°湾曲して前方へ延設して構成される。
当該舌片の先端部は斜め下方に向けて屈曲して傾斜面１１６を形成し、且つ、幅を徐々に狭めて先尖部とした構成である。
【００３７】
また、本実施例において使用するホック部材３は、図１０（ｂ）に示すように、ホック金具３０と装飾体３１とからなる。前記ホック金具３０は、長尺の金属板の両端を略直角に下方へ屈曲して二本のホック脚部３００を形成し、該ホック脚部３００の先端を先尖状としてなるものである。装飾体３１は、前記ホック金具３０のホック中央部３０１に対して固着するものである。
以上の構成によって構成される各部材について、以下の手順によって組み立てることができる。
【００３８】
先ず前記ストッパー部材１２をスライダー主体１０に対して以下のように取付ける。
ストッパー部材１２の第二線部１２２がスライダー主体１０のガイド底板部１０２に沿った状態で、第三線部１２３が底板貫通穴１０６に挿入される。
前記第二線部１２２と第一線部１２１との屈曲部分がガイド底板部１０２の底板切欠部１０７に案内される。
第一線部１２１は前記ガイド底板部１０２の上面側でガイド側壁部１０１の内側に沿うように配置される。
係止線部１２０は、左右のガイド底板部１０２の上面に載置された状態でスライダー主体１０の幅方向に亘り配置される。
【００３９】
ストッパー部材１２を構成する金属線材はスライダー主体１０に対して若干緩く取付けられるように、寸法的な余裕を持たせてある。このことによって、前記ストッパー部材１２は、通常状態において、第三線部１２３が底板貫通穴１０６から離脱せず、且つ、第三線部１２３の先端が底板貫通穴１０６から上方へ突出しない範囲で、僅かに上下動可能として構成している。
【００４０】
ストッパー部材１２を備えたスライダー主体１０に対して前記スライダー操作体１１を取着する。具体的には、前記図３に示すように、スライダー主体１０における左右のガイド側壁部１０１の内面とスライダー操作体１１のガイド部１１２の外面とを摺動可能に配置する。また当該スライダー主体１０におけるスライダーガイド部１０ａの上面とスライダー操作体１１の操作体基板部１１０の下面とを摺動可能に配置する。
スライダー操作体１１をその前端側から、前記スライダー主体１０の後方側に対してスライドさせて、スライダー操作体の規制穴部１１５に対してスライダー主体１０の規制片１０３を嵌め込むことで、当該スライダー主体１０とスライダー操作体１１とを取付けできる。規制穴部１１５によって規制される範囲において規制片１０３を備えるスライダー操作体が移動可能となる。以上によって金属製スライダー１が構成される。
【００４１】
前記合成樹脂製のアジャスターレール２は、図１１に示すように、上面左右端部に並行して略蒲鉾型に形成される複数の務歯２０ａからなる務歯列２０を設けている。
また当該アジャスターレール２の長手方向中央には溝部２１を形成している。各務歯２０ａの間には、該務歯２０ａ間の前後寸法よりも短い長さの間隙部２０ｂを設けている。
アジャスターレール２の前端部及び後端部には、務歯列２０を有しない縫合部２２を備えている。本実施例に係るアジャスターレール２は、全長８４ミリメートル程度、全幅約４ミリメートル程度としている。
【００４２】
次に、上記金属製スライダー１をアジャスターレール２へ取付ける。金属製スライダー１の後端側から、当該スライダー主体１０のガイド底板部１０２の内面に当該アジャスターレールの底面をガイドさせ、アジャスターレール２に取付けることができる。
そして、スライダー操作体１１の操作体側指掛部１１１とスライダー主体１０の生地取付部１０ｃの前端である主体側指掛部１０ｄとを指で摘み、当該生地取付部１０ｃと主体側指掛部１０ｄとを近接させると、スライダー操作体１１の係止解除部１１３とスライダー主体１０のガイド底板部１０２との間にアジャスターレール２が通過可能な間隙が形成される。
この状態で当該間隙にアジャスターレール２を通すことで、アジャスターレール２の務歯列２０へのストッパー部材１２の接触が抑制されてより円滑にアジャスターレール２と金属製スライダー１を取り付け、本実施例に係るアジャスターＣを構成することができる。
【００４３】
当該取付によって、スライダー操作体１１の係止解除部１１３がストッパー部材１２の係止線部１２０に当接する。この状態が、アジャスターレール２に対する金属製スライダー１の前方（ウエストサイズを拡大させる方向）への移動が阻止されたロック状態（通常状態）となる（図１２参照。）。
【００４４】
以上によって構成される実施例１に係るアジャスターＣを、衣服等の一例であるズボンのウエスト部Ｗへ取付ける手順及び取付構造について、以下に説明する。
【００４５】
本実施例１に係るアジャスターＣは、例えば、ズボンのウエスト部Ｗの左右二箇所に対称に設けることができる。ズボンの後方側の生地（以下、内側生地５１）に対して当該ズボンの前方側の生地（外側生地５０）を外側から双方の一部を重合した構成とし、当該重合部分の箇所を主とする当該ウエスト部Ｗに、本実施例に係るアジャスターＣを取付ける。アジャスターＣの上面側が衣服の外方側となるように配置する。
【００４６】
先ず外側生地５０の外方からホック部材３のホック脚部３００で貫通し、次にアジャスターＣの上面側から、前記ホック部材３のホック脚部３００を当該アジャスターＣの生地取付部１０ｃのホック取付穴１０５を通してかしめ、金属製スライダー１と上側生地とを取付ける。この際に、本実施例においては、金属製スライダー１の操作体側指掛部１１１が外側生地５０の端側部に被覆されるようにしている。
【００４７】
次に、本実施例に係るアジャスターＣのアジャスターレール２及び金属製スライダー１の上面側全体に対して帯状のレール被覆生地４で被覆する。レール被覆生地４は、スライダー操作体１１の操作体側生地貫通用穴１１４とホック基体の嵩高部１０ｂにおける基体側生地貫通用穴１０４を連通し、当該被覆生地４の両端をアジャスターレール２の各端部の上面側から底面側に折り返した状態とする。
【００４８】
この状態において、内側生地５１の外面に対して当該金属製スライダー１の底面側を下として、当該レール被覆生地４で被覆されたアジャスターＣを載置し、レール被覆生地４、アジャスターレール２及び衣服の内側生地５１を縫合糸６で縫着する。
【００４９】
以上によって、図１５及び図１６に示すように、本実施例に係るアジャスターＣをズボンのウエスト部Ｗに取付けることができる。
【００５０】
本実施例１に係るアジャスターＣは、金属製スライダー１がアジャスターレール２に対して前方へ移動不可能となる前記ロック状態から、所定の操作によって金属製スライダー１のロック状態を解除するための解放準備状態を経て、金属製スライダー１がアジャスターレール２に対して移動可能となる解放状態を実現する。以下、各状態における構成及び操作について順次説明する。
【００５１】
本実施例１に係るアジャスターＣは、通常状態において、図１２に示すように、アジャスターレール２に対して金属製スライダー１の前方への移動が阻止されたロック状態である。
【００５２】
当該通常状態において、アジャスターレール２の間隙部２０ｂにストッパー部材１２の係止線部１２０が嵌り込み、当該アジャスターレール２の務歯２ａと前記係止線部１２０とが係止する。そして、スライダー主体１０の基板後方部１００ｂが前記係止線部１２０の上方を被覆することで、係止線部１２０の上方への移動を阻止し、前記務歯２ａと前記係止線部１２０との係止が解除されることを防止する構成である。
【００５３】
一方、当該通常状態では、スライダー主体１０（スライダー主体１０に直接連結された装飾体３１等を含む。）のみを後方へ向けて押圧するだけで、当該アジャスターＣを移動させることができる。
【００５４】
通常状態において、スライダー操作体１１、アジャスターレール２、及び当該アジャスターレール２の務歯２ａに係止するストッパー部材１２の位置が概ね一定に保持された状態で、スライダー主体１０が相対的に後方へ所定範囲で移動可能となる前記可動域を有している。
【００５５】
当該可動域の前後方向の最大長さは、底板貫通穴１０６の内径寸法とストッパー部材１２の第三線部１２３の線径寸法との差によって設定している。本実施例においては、概ね０．５ｍｍ〜１．５ｍｍ程度に設定している。
【００５６】
スライダー主体１０を可動域の範囲で後方へ移動させることで、図１２に示すように、解放準備状態となる。
即ち、スライダー操作体に対してスライダー主体１０がずれを生じ、ストッパー部材１２の係止線部１２０の上方に開口１００ａが配置されることで、当該係止線部１２０の上方が解放される。
【００５７】
このため、更にスライダー主体１０を後方へ向けて押圧することで、ストッパー部材１２の係止線部１２０がアジャスターレール２の務歯２０ａを乗り越えて図１３に示す解放状態が実現する。ここで、ストッパー部材１２は金属線材からなるバネであり、反発弾性を発揮しているため、図１４に示すように、次に最も近接する務歯２０ａに対してその係止線部１２０が係止する。
金属製スライダー１の後方への連続的な移動が可能となる。
【００５８】
以上のように、通常状態では、図１２に示すように、不用意に、前方へ金属製スライダー１が移動せず、ウエストサイズが大きくなる（ウエストが緩む）ことがない。しかし、後方へ金属製スライダー１は移動できるので、後方へ向けてスライダー主体１０のみを押圧するだけでウエストを締めることは簡単に行える。
【００５９】
次に、ウエストサイズを大きくする（ウエストを緩める）ためには、次に示すようにロック解放準備状態を経て、解放状態とする。
【００６０】
上記通常状態から、スライダー操作体１１の操作体側指掛部１１１とスライダー主体１０の生地取付部１０ｃの前端である主体側指掛部１０ｄとを指で摘み、当該生地取付部１０ｃと主体側指掛部１０ｄとを近接させると、スライダー操作体１１に対してスライダー主体１０がずれを生じ、ストッパー部材１２の係止線部１２０の上方に開口１００ａが配置されることで、当該係止線部１２０の上方が解放される。ここで、操作体側指掛部１１１、主体側指掛部１０ｄを指で摘む際には、外側生地５０、内側生地５１若しくは装飾体３１を介して摘むことができる。
【００６１】
上記ロック解放準備状態でのスライダー操作体１１の操作体側指掛部１１１とスライダー主体１０の主体側指掛部１０ｄとを指で摘んだ状態から、スライダー操作体１１をスライダー主体１０に更に引き寄せることで、当該スライダー操作体１１の係止解除部１１３における傾斜面１１６が係止線部１２０を上方に持ち上げ、務歯２０ａと係止線部１２０との係止を解除する。
【００６２】
この状態でアジャスターレール２に対して金属製スライダー１を前方へ移動させることができる。調節位置へ金属製スライダー１を移動させて指を離すと、ストッパー部材１２の係止線部１２０は、弾性変形した状態から当初の形状に復元する。この復元に伴って、当該ストッパー部材１２の係止線部１２０は、スライダー操作体１１の係止解除部１１３における傾斜面１１６を後方へ押し戻し、アジャスターレール２の間隙部２０ｂに入り込んで、務歯２０ａと係止する。スライダー操作体１１が当該ストッパー部材１２によって押し戻されることで、スライダー操作体１１とスライダー主体１０との相対的なずれが解消し、通常状態に復帰する。
【実施例２】
【００６３】
次に、前記実施例１の変形例として、実施例２に係るアジャスターＣについて説明する。
実施例２に係るアジャスターＣの基本構成は、実施例１と共通し、スライダー操作体１１の操作体側指掛部１１１の形状において前記実施例１と相違するものである。尚、共通する箇所についての説明は省略する。
【００６４】
本実施例２のスライダー操作体１１における操作体側指掛部１１１は、図１７及び図１８に示すように、実施例１に係るスライダー操作体１１の操作体側指掛部１１１の後端から更に生地被覆部１１１ａを形成したものである。当該生地被覆部１１１ａは、実施例１に係るスライダー操作体１１の操作体側指掛部１１１の後端から上方へ向けて１８０°湾曲した生地被覆部１１１ａを形成し、その端部からさらに平滑な板状の挟持板部１１１ｂを形成した構成である。
【００６５】
前記した実施例１に係る操作体側指掛部１１１が外側生地５０の縁を介して当該指掛１１１部を指で押さえるための構成であるのに対して、本実施例２においては、図１９に示すように、操作体側指掛部１１１の一部として湾曲形成した生地被覆部１１１ａによって前記外側生地５０の縁を被覆することで、直接操作体側指掛部１１１を指で押さえて操作を行うものである。
このため、アジャスターＣの操作を行う際の摘み操作の力のロスが少なく、摘み操作をより容易とすることができる点で、更に操作性優れるものである。
【００６６】
以上のように本実施例２に係るウエストサイズの増加、減少のいずれを行う場合でも、指で摘んでスライドさせるだけの簡単な操作によってウエストサイズの調整を行うことができる。
【００６７】
本発明は、上記実施例１、２に限定するものではない。例えば、本実施例１、２では、スライダー主体１０に規制片１０３を設け、スライダー操作体１１に規制穴部１１５を設けた構成としているが、本発明はスライダー主体１０に規制穴部１１５を設け、スライダー操作体１１に規制片１０３を設けることもできる。
また、本実施例１、２では、規制片１０３及び規制穴部１１５を各一箇所ずつに設ける構成としたが、本発明はこれらの移動規制手段を複数個所に設けることもできる。
また例えば前後に移動規制手段を設けることによって、スライダー主体１０とスライダー操作体１１の相対的な移動の際のがたつきをより一層抑制して、動作の精度を高めることができる。その他本発明においては、スライダー主体１０とスライダー操作体１１の相対的な移動を一定の範囲に規制する種々の公知の手段を適用することもできる。
【００６８】
また、上記実施例においては、外側生地５０で操作体側指掛部１１１を包み、当該外側生地５０を介して操作体側指掛部１１１を摘む構成としているが、本発明は当該構成に限るものではなく、直接的に操作体側指掛部１１１とすることもできる。
【００６９】
更に、本実施例では操作体側指掛部１１１の形状は、その先端部を１８０°湾曲した形状としているが、本発明においては、当該構成に限定されず、屈曲、湾曲の別を問わず、その角度の変更のみならず、操作体側指掛部１１１自体の形状を自由に変更することができる。更に操作時における指先への負担の観点から当該負担を緩和する種々の部材、例えばエラストマーや繊維等を付加した構成を操作体側指掛部１１１に含むこともできる。
【００７０】
また、本実施例においては、嵩高部１０ｂを生地取付部１０ｃの近傍に配置することで、前記操作体側指掛部１１１と生地取付部１０ｃとを略同一の高さで近接した位置とすることができるため、よりコンパクトに当該アジャスターＣを構成でき、全体としての均一的な高さに構成することで、ウエスト部Ｗ等に取付けても体裁を保持できるように作用し、更に、当該配置によって指で摘む操作が良好に行える利点がある。
【００７１】
また、装飾体３１の形状は実施例に開示した形状のみならず、任意の形状を採用することができる。尚、装飾体３１は外部からホック金具３０が露呈しない大きさ、形状のものが好ましい。
【００７２】
また、上記実施例においてストッパー部材１２は、係止線部１２０、第一線部１２１、第二線部１２２、第三線部１２３により所定の形状としたが、本発明は上記実施例に限定されるものではなく、ストッパー部材１２は金属製線材から構成されることで一定のバネ弾性を有し、スライダー主体１０への取着手段と、務歯に対して係脱可能な係合手段を備えていればよい。このため、取着手段として第一線部１２１、第二線部１２２、第三線部１２３の全てを必ずしも要せず、その一部を含まないものであってもよいし、設計変更の範囲でスライダー主体１０の形状に応じて適用することができる。また、金属製線材の径等は適宜設定することができる。また各線部間は屈曲形状とすることもできるし、湾曲形状とすることもできる。
【００７３】
また実施例２に開示した操作体側指掛部１１１の生地被覆部１１１ａは屈曲形状や括れを伴うもの等自由な形状とすることができる。挟持板部１１１ｂは必ずしも設けなくてもよいし、また挟持板部１１１ｂを他の任意の形状とすることもできる。
【００７４】
上記実施例におけるアジャスターレール２における務歯２０ａはいずれも蒲鉾型輪郭を有するものとしたが、本発明においては、当該形状のみならず、少なくとも当該務歯２０ａの前面及び後面に斜面若しくは曲面を有するものとすることができるし、金属製スライダー１のスライド機能を害さない限り、斜面や曲面を有しないものとすることもできる。
前記斜面若しくは曲面を有する場合には、ストッパー部材１２の係止線部が金属製スライダー１の移動等に伴い、前記斜面若しくは曲面上を移動できることとなるから、より金属製スライダー１の円滑な操作を可能とすることができる。
【００７５】
更に、本発明においては、上記実施例に示したアジャスターレール２、金属製スライダー１の全体寸法及び各部寸法によって限定されるものではなく、サイズ調節の対象物に対して取着して使用できる大きさとすることができる。
【符号の説明】
【００７６】
Ｃ        アジャスター
Ｗ        ウエスト部
１        金属製スライダー
１０      スライダー主体
１０ａ    スライダーガイド部
１０ｂ    嵩高部
１０ｃ    生地取付部
１０ｄ    主体側指掛部
１００    スライダー基板
１００ａ  開口
１００ｂ  基板後方部
１００ｃ  基板前方部
１０１    ガイド側壁部
１０２    ガイド底板部
１０３    規制片
１０４    基体側生地貫通用穴
１０５    ホック取付穴
１０６    底板貫通穴
１０７    底板切欠部
１０８    平板部
１０９    傾斜部
１１      スライダー操作体
１１０    操作体基板部
１１１    操作体側指掛部
１１１ａ  生地被覆部
１１１ｂ  挟持板部
１１２    ガイド部
１１３    係止解除部
１１４    操作体側生地貫通用穴
１１５    規制穴部
１１６    傾斜面
１２      ストッパー部材
１２０    係止線部
１２１    第一線部
１２２    第二線部
１２３    第三線部
２        アジャスターレール
２０      務歯列
２０ａ    務歯
２０ｂ    間隙部
２１      溝部
２２      縫合部
３        ホック部材
３０      ホック金具
３００    ホック脚部
３０１    ホック中央部
３１      装飾体
４        レール被覆生地
５        ウエスト部
５０      外側生地
５１      内側生地
６        縫合糸
【図１】
2015139604.tif 000003
【図２】
2015139604.tif 000004
【図３】
2015139604.tif 000005
【図４】
2015139604.tif 000006
【図５】
2015139604.tif 000007
【図６】
2015139604.tif 000008
【図７】
2015139604.tif 000009
【図８】
2015139604.tif 000010
【図９】
2015139604.tif 000011
【図１０】
2015139604.tif 000012
【図１１】
2015139604.tif 000013
【図１２】
2015139604.tif 000014
【図１３】
2015139604.tif 000015
【図１４】
2015139604.tif 000016
【図１５】
2015139604.tif 000017
【図１６】
2015139604.tif 000018
【図１７】
2015139604.tif 000019
【図１８】
2015139604.tif 000020
【図１９】
2015139604.tif 000021